(57)【要約】【課題】本発明の課題は、くし溝をインキ流量調節機構として配設した筆記具のくし溝、ペン先、コンバーターなどの筆記部材を効率よく洗浄することができ、洗浄後の再筆記性も良好である筆記具用洗浄液を提供することである。【解決手段】水、ｐＨ調整剤、ノニオン系界面活性剤を含んでなる筆記具用洗浄液であって、ノニオン系界面活性剤のＨＬＢ値が１５以下であることを特徴とする、筆記具用洗浄液とする。【選択図】なし【特許請求の範囲】
【請求項１】
水、ｐＨ調整剤、ノニオン系界面活性剤を含んでなる筆記具用洗浄液であって、ノニオン系界面活性剤のＨＬＢ値が１５以下であることを特徴とする、筆記具用洗浄液。
【請求項２】
前記筆記具用洗浄液の２０℃における表面張力が、２０〜５０ｍＮ/ｍであることを特徴とする、請求項１に記載の筆記具用洗浄液。
【請求項３】
前記ノニオン系界面活性剤が、ポリオキシアルキレン基を有することを特徴とする、請求項１または２に記載の筆記具用洗浄液。
【請求項４】
前記ノニオン系界面活性剤のアルキル基の炭素数が、１〜２０であることを特徴とする、請求項１ないし３のいずれか１項に記載の筆記具用洗浄液。
【請求項５】
前記ｐＨ調整剤が、水溶性のアミン化合物であることを特徴とする、請求項１ないし４のいずれか１項に記載の筆記具用洗浄液。
【請求項６】
請求項１ないし５のいずれか１項に記載の筆記具用洗浄液を、包装体に収容したことを特徴とする、筆記具用洗浄液包装体。
【発明の詳細な説明】
【技術分野】
【０００１】
本発明は、筆記具用洗浄液およびそれを収容した筆記具用洗浄液包装体に関する。さらに詳しくは、くし溝をインキ流量調節機構として配設した筆記具の、くし溝、ペン先、コンバーター（インキ瓶のようなインキ収容体から、筆記具のインキ貯蔵体内に直接インキを吸入することができる機能をもつインキ貯蔵体（万年筆用インキ吸入器））などの筆記具部材を洗浄する筆記具用洗浄液およびそれを収容した筆記具用洗浄液包装体に関する。
【背景技術】
【０００２】
従来より、万年筆や製図用ペンなどの、インキカートリッジやコンバーター（インキ瓶のようなインキ収容体から、インキ貯蔵体内に直接インキを吸入することができる機能をもつインキ貯蔵体（万年筆用インキ吸入器））を接続して使用する筆記具はよく知られている。
このような万年筆や製図用ペンは、筆記によりインキが無くなった場合には、新たにインキが充填されたインキカートリッジに交換したり、ペン先からコンバーター内にインキを吸入することにより、筆記具本体を廃棄せずに、繰り返し使用し続けることができる。
【０００３】
前記のような筆記具では、長期間使用せずに放置しておくと、インキ中の水分が徐々に蒸発し、筆記具のくし溝、ペン先、コンバーターなどの筆記具部材に、染料や顔料などのインキの成分が固まり、インキ乾固してしまうと、筆記不良や、コンバーターの作動不良にもなり得る。
したがって、長期間使用しなくなる前、あるいは長期間放置した後に再び使用する際には、筆記具のくし溝、ペン先、コンバーターなどの筆記具部材を水やぬるま湯で洗浄することが行われている。
また、例えば黒色インキを使用していた筆記具に、黒色インキに替えてあらたに赤色インキを使用する場合には、黒色インキと赤色インキとが筆記具部材の内部で混ざり、混色の筆跡になったり、あるいは種類の異なるインキが混ざることでの凝集や析出物の発生を防止するため、筆記具のくし溝、ペン先、コンバーター（万年筆用インキ吸入器）などの筆記具部材に、残った黒色インキを水やぬるま湯で洗浄することも行われている。
【０００４】
耐水性や耐光性に優れ、良好な発色を示す優れた筆跡を得るために、着色剤や樹脂などを含む筆記具用インキ組成物においては、インキ中に樹脂成分が含有されているために、一旦インキが乾固してしまうと、筆記具のくし溝、ペン先、コンバーターを水やぬるま湯に浸漬しただけでは乾固したインキを取り除くことが極めて困難であるため、浸漬した状態でさらに超音波をかける洗浄方法（例えば特許文献１および２）があったが、洗浄する際の装置が大がかりになり、特に、着色剤として顔料を用いたインキ組成物（顔料インキ）を使用した筆記具を洗浄する場合には、インキが乾燥すると、筆記具の、ペン先、コンバーターなどの筆記具部材に、強く乾固しやすくなる問題があった。
特に、万年筆では、筆記によりインキが無くなった場合には、ペン先からコンバーター（万年筆用インキ吸入器）内にインキを吸入することにより、筆記具本体を廃棄せずに繰り返し使用し続けるため、長期に渡って同じ筆記具部材である、くし溝、ペン先、コンバーターなどを使い続ける。そのため、インキ吸入時に、前記筆記具部材に装着傷や摺動傷などの擦り傷などができてしまい、その擦り傷などにインキが入り込んで、インキ乾固してしまうと、乾固したインキを取り除くことが極めて困難となってしまう。
【先行技術文献】
【特許文献】
【０００５】
実開昭５６−７６０９２号公報
特開２００１−９６９７４号公報
【発明の概要】
【発明が解決しようとする課題】
【０００６】
本発明の目的は、上記のような従来の問題を解決するもので、くし溝をインキ流量調節機構として配設した筆記具のくし溝、ペン先、コンバーター（インキ瓶のようなインキ収容体から、筆記具のインキ貯蔵体内に直接インキを吸入することができる機能をもつインキ貯蔵体（万年筆用インキ吸入器））などの筆記具部材を効率よく洗浄することができ、洗浄後の再筆記性も良好である、くし溝、ペン先、コンバーターなどの筆記具部材の洗浄用の筆記具用洗浄液（以下、単に「洗浄液」と表すことがある）およびそれを収容した筆記具用洗浄液包装体を提供するものである。
【課題を解決するための手段】
【０００７】
本発明は、
「１．水、ｐＨ調整剤、ノニオン系界面活性剤を含んでなる筆記具用洗浄液であって、ノニオン系界面活性剤のＨＬＢ値が１５以下であることを特徴とする、筆記具用洗浄液。
２．前記筆記具用洗浄液の２０℃における表面張力が、２０〜５０ｍＮ/ｍであることを特徴とする、第１項に記載の筆記具用洗浄液。
３．前記ノニオン系界面活性剤が、ポリオキシアルキレン基を有することを特徴とする、第１項または第２項に記載の筆記具用洗浄液。
４．前記ノニオン系界面活性剤のアルキル基の炭素数が、１〜２０であることを特徴とする、第１項ないし第３項のいずれか１項に記載の筆記具用洗浄液。
５．前記ｐＨ調整剤が、水溶性のアミン化合物であることを特徴とする、第１項ないし第４項のいずれか１項に記載の筆記具用洗浄液。
６．第１項ないし第５項のいずれか１項に記載の筆記具用洗浄液を、包装体に収容したことを特徴とする、筆記具用洗浄液包装体。」である。
【発明の効果】
【０００８】
本発明によれば、くし溝をインキ流量調節機構として配設した筆記具のくし溝、ペン先、コンバーター（インキ瓶のようなインキ収容体から、筆記具のインキ貯蔵体内に直接インキを吸入することができる機能をもつインキ貯蔵体（万年筆用インキ吸入器））などの筆記具部材を効率よく洗浄することができ、洗浄後の再筆記性も良好である筆記具用洗浄液およびそれを収容した筆記具用洗浄液包装体を提供することができる。
【発明を実施するための形態】
【０００９】
以下、本発明の実施の形態について、詳細に説明する。
本明細書において、配合を示す「部」、「％」、「比」等は特に断らない限り質量基準である。
【００１０】
＜筆記具用洗浄液＞
本発明の特徴は、水、ｐＨ調整剤、ＨＬＢ値が１５以下であるノニオン系界面活性剤を含んでなる筆記具用洗浄液とすることを特徴とする。
前記筆記具用洗浄液を用いることで、くし溝をインキ流量調節機構として配設した筆記具の、細いくし溝や精密なペン先、コンバーター（インキ瓶のようなインキ収容体から、筆記具のインキ貯蔵体内に直接インキを吸入することができる機能をもつインキ貯蔵体（万年筆用インキ吸入器））などの内部に乾固したインキの洗浄性に優れ、洗浄後の再筆記性も良好である筆記具用洗浄液を得ることができる。
特に、万年筆では、筆記によりインキが無くなった場合には、ペン先からコンバーター内にインキを吸入することにより、筆記具本体を廃棄せずに繰り返し使用し続けるため、長期に渡って筆記具部材である、くし溝、ペン先、コンバーターなどを交換せずに使い続ける。そのため、インキ吸入時や日常的に使用していると、前記部材に装着傷や摺動傷などの擦り傷などができてしまい、その擦り傷などにインキが入り込んで、乾固してしまうと、乾固したインキを取り除くことが極めて困難になるが、そのような場合でも、洗浄性に優れることが可能となる。
【００１１】
＜ノニオン系界面活性剤＞
本発明の筆記具用洗浄液は、ＨＬＢ値が１５以下であるノニオン系界面活性剤を含んでなる。これは、ＨＬＢ値が１５以下であるノニオン系界面活性剤は、筆記具のくし溝、ペン先、コンバーター（万年筆用インキ吸入器）に、インキ成分が固まるなどして、インキ乾固した場合でも、洗浄することが可能であり、さらに、ＨＬＢ値が１５以下であるノニオン系界面活性剤は、筆記具用洗浄液中でも安定しているため、長期間の洗浄効果が得られるためである。さらに、くし溝、ペン先、コンバーター（万年筆用インキ吸入器）などの筆記具部材を洗浄後も、筆記性能に問題なく、再筆記性も良好である
これは、理由は定かではないが下記のように推測する。
ＨＬＢ値が１５以下であるノニオン系界面活性剤のはたらきにより、筆記具用洗浄液の表面張力が下がって、筆記具のくし溝、ペン先、コンバーターへのぬれ性が向上すると共に、乾固したインキ中に含まれる着色剤や樹脂が、洗浄液への溶解後に前記界面活性剤により当該洗浄液中に効率的に分散され、また洗浄液中に分散された着色剤や樹脂が、くし溝、ペン先、コンバーターに再付着することが防止されるため、高い洗浄性を発揮するものと推測する。さらに、筆記具部材を洗浄後も、洗浄液が筆記具部材に付着し続けて、筆記性能に影響することがないため、再筆記性も良好となると推測する。
特に、ペン先・くし溝を具備した首軸、コンバーター（インキ収容体から、筆記具のインキ貯蔵体内に直接インキを吸入することができる機能をもつインキ貯蔵体（万年筆用インキ吸入器））を装着した万年筆の場合は、くし溝は、細かい複雑な構造をしているため、インキ乾固した場合では、洗浄してもインキ汚れが取れにくいため、本発明の筆記具用洗浄液を用いると効果的であり、好ましい。
【００１２】
ＨＬＢ値が１５以下であるノニオン系界面活性剤の中でも、水への溶解性や洗浄性を考慮して、ＨＬＢ値４〜１５が好ましく、より考慮すれば、ＨＬＢ値６〜１５が好ましい。さらに、くし溝、ペン先、コンバーターなどの筆記具部材に擦り傷がある場合を考慮すれば、洗浄性に優れるＨＬＢ値８〜１４が好ましく、より考慮すれば、ＨＬＢ値１１〜１４が好ましい。
上記のＨＬＢ値は、グリフィン法から算出される値であり、下記式によって算出される。
ＨＬＢ値＝２０×（親水基の質量％）＝２０×（親水基の式量の総和／界面活性剤の分子量）
【００１３】
筆記具用洗浄液を用いた筆記具の洗浄方法としては、筆記具からキャップ、軸、ならびにコンバーターなどを取り外して、くし溝・ペン先（首軸）の状態とした後に、当該くし溝・ペン先（首軸）、コンバーターを洗浄液中に浸漬する方法や、洗浄液を、スポイトなどを用いてくし溝・ペン先（首軸）、コンバーターに流す方法や、インキ貯蔵体として用いるコンバーターを利用して、洗浄液を、インキを補充するようにペン先から吸入して洗浄する方法などが挙げられる。
【００１４】
ノニオン系界面活性剤については、  ポリオキシエチレン脂肪酸エステル、ポリオキシエチレンソルビタン脂肪酸エステル、ポリエチレングリコール脂肪酸エステル、ポリグリセリン脂肪酸エステル、ポリオキシアルキレンアルキルエーテル、ポリオキシエチレンポリオキシプロピレングリコール、ショ糖脂肪酸エステル、ソルビタン脂肪酸エステル、アルキルグリコシド、アルキルグリセリルグリコシド、メチルグルコシド脂肪酸エステル等が挙げられる。これらの中でも、ポリオキシエチレンなどのポリオキシアルキレン基を有するノニオン系界面活性剤を用いることが好ましい。これは、着色剤や樹脂との親和性が高く、くし溝、ペン先、コンバーターから着色剤や樹脂を効率よくひきはがす効果が得られやすいためで、さらにポリオキシアルキレン基を有すると、水に対する溶解性が良く、水性インキ中で安定しており、長期間安定して、洗浄効果を得られやすいためである。その中でも、ポリオキシアルキレンアルキルエーテル、ポリオキシエチレンソルビタン脂肪酸エステル、ポリエチレングリコール脂肪酸エステルの中から１種以上を用いることが好ましく、より好ましくは、ポリオキシアルキレンアルキルエーテルである。これは、浸透性に優れ、起泡力が低いため、くし溝、ペン先、コンバーターなどの筆記具部材に擦り傷がある場合や、細い複雑な構造のくし溝、精密なペン先、コンバーターであっても、入り込んで洗浄するため、取れにくい汚れでも洗浄効果が得られるためである。
特に、ペン先・くし溝を具備した首軸、コンバーター（インキ収容体から、筆記具のインキ貯蔵体内に直接インキを吸入することができる機能をもつインキ貯蔵体（万年筆用インキ吸入器））を装着した万年筆の場合は、インキ乾固した場合では、洗浄してもインキ汚れが取れにくいため、ポリオキシアルキレンアルキルエーテルを用いると効果的であり、好ましい。
【００１５】
前記ポリオキシアルキレン基を有するノニオン系界面活性剤については、前記ポリオキシアルキレン基を有するノニオン系界面活性剤のアルキル基の炭素数が１〜２０であることが好ましい。これは、上記範囲であると、筆記具部材の擦り傷、細かい複雑な構造などでも、前記洗浄液が、浸透しやすくする効果が得られるのに適したアルキル基の炭素数での長さであり、高い洗浄効果を得られやすいためである。一方、前記アルキル基の炭素数が多くて、長すぎると、水に対して溶解しづらく、洗浄効果に影響しやすく、また、前記アルキル基の炭素数が少なくて、短すぎても、洗浄効果が十分に得られづらいため、前記アルキル基の炭素数が４〜１６であることが好ましく、より考慮すれば、前記アルキル基の炭素数が８〜１４であることが好ましい。
【００１６】
前記ポリオキシアルキレン基を有するノニオン系界面活性剤のアルキル基については、直鎖構造、分岐構造を有するものがあるが、分岐構造を有するアルキル基である方が、嵩高い構造をするため、筆記具部材に擦り傷がある場合や、細い複雑な構造をしているくし溝、精密なペン先、コンバーターであっても、入り込んで効果的に洗浄しやすいため、取れにくい汚れが取れやすい効果が得られるため好ましい。
前記ポリオキシアルキレン基を有するノニオン系界面活性剤として、ポリオキシアルキレンアルキルエーテル、ポリオキシエチレンソルビタン脂肪酸エステル、ポリエチレングリコール脂肪酸エステルの具体例としては、ポリオキシアルキレンイソデシルエーテル（アルキル基：分岐構造）、ポリオキシアルキレンイソトリデシルエーテル（アルキル基：分岐構造）、ポリオキシアルキレントリデシルエーテル（アルキル基：直鎖構造）、ポリオキシアルキレンデシルエーテル（アルキル基：直鎖構造）、ポリオキシアルキレンラウリルエーテル（アルキル基：直鎖構造）、ポリオキシエチレンソルビタンモノラウレート、ポリオキシエチレンソルビタンモノオレート、ポリオキシエチレンソルビタンモノステアレート、ポリオキシエチレンソルビタントリラウレエート、ポリオキシエチレンソルビタントリオレエート、ポリオキシエチレンソルビタントリステアレート、ポリエチレングリコールモノラウレート、ポリエチレングリコールモノステアレート、ポリエチレングリコールモノオレートなど挙げられるが、動的表面張力を低下させることで、浸透性に優れることで、洗浄力を向上しやすいことを考慮すれば、ポリオキシアルキレンイソデシルエーテルを用いることが好ましい。
【００１７】
前記ポリオキシアルキレンアルキルエーテルのポリオキシアルキレン基については、エチレンオキシド基、または、プロピレンオキシド基を有することが好ましい。これは、水に対する溶解性が良く、水性インキ中で安定しており、洗浄効果を得られやすいためであり、より考慮すれば、少なくともエチレンオキシド基を有することが好ましい。さらに、前記ポリオキシアルキレン基については、アルキレンオキシドの平均付加モル数が１〜２０であることが好ましい。これは、上記範囲であると、筆記具部材の擦り傷などに浸透しやすい、アルキレンオキシドの長さであるため、高い洗浄効果を得られやすいためである。一方、前記アルキレンオキシドの平均付加モル数が多く、長すぎると、水に対して溶解しづらく、洗浄効果に影響しやすく、前記アルキレンオキシドの平均付加モル数が少なく、短すぎても、洗浄効果が得られづらいため、前記アルキレンオキシドの平均付加モル数が３〜１５であることが好ましく、前記アルキレンオキシドの平均付加モル数が５〜１０であることが好ましい。
【００１８】
前記ポリオキシアルキレンアルキルエーテルの曇点については、洗浄効果を考慮すれば、９０℃以下であることが好ましく、より考慮すれば、３０〜８０℃が好ましく、さらに４０〜８０℃であることが好ましい。
【００１９】
本発明の筆記具用洗浄液における、前記ノニオン系界面活性剤の含有量は、筆記具用洗浄液の総質量を基準として、０．０１〜１０質量％が好ましく、０．５〜８質量％が好ましく、１〜５質量％であることがより好ましい。これは、上記範囲より含有量が少ないと、洗浄効果を十分に発揮しづらく、上記範囲より多いと、水への溶解性が劣りやすく、前記効果の向上は認められにくいので、これ以上の含有することは要しないためである。
【００２０】
前記ノニオン系界面活性剤については、具体的には、ポリオキシアルキレンアルキルエーテルとしては具体的には、ノイゲンＬＦシリーズ（ポリオキシアルキレンイソデシルエーテル、第一工業製薬(株)製）、ノイゲンＳＤシリーズ（ポリオキシエチレンイソデシルエーテル、第一工業製薬(株)製））、ノイゲンＴＤＸシリーズ（ポリオキシアルキレンイソトリデシルエーテル、第一工業製薬(株)製））、ノイゲンＸＬシリーズ（ポリオキシアルキレンイソデシルエーテル、第一工業製薬(株)製））、ノイゲンＴＤＳシリーズ（ポリオキシエチレントリデシルエーテル、第一工業製薬(株)製））、ノイゲンＬＰシリーズ（ポリオキシエチレンラウリルエーテル、第一工業製薬(株)製））、ソルゲン  シリーズ（ソルビタン脂肪酸エステル、第一工業製薬(株)製））、ソルゲンＴＷシリーズ（ポリオキシエチレンソルビタン脂肪酸エステル、第一工業製薬(株)製））、レオドール  シリーズ（ソルビタン脂肪酸エステル・ポリオキシエチレンソルビタン脂肪酸エステル、花王 (株)製））、エマノーン  シリーズ（ポリエチレングリコール脂肪酸エステル、花王 (株)製））などが挙げられる。
【００２１】
＜ｐＨ調整剤＞
本発明の筆記具用洗浄液は、ｐＨ調整剤を含有する。
ｐＨ調整剤としては、塩基性成分であるアンモニア、炭酸ナトリウム、リン酸ナトリウム、水酸化ナトリウムなどの塩基性無機化合物、酢酸ナトリウム、トリエタノールアミン、ジエタノールアミンなどの塩基性有機化合物や、酸性成分である乳酸およびクエン酸などが挙げられる。本発明において、前記ＨＬＢ値が１５以下であるノニオン系界面活性剤との相性を考慮すれば、塩基性成分を用いることが好ましい。これらのｐＨ調整剤は単独又は２種以上混合して使用してもかまわない。
【００２２】
塩基性成分の中でも、モノエタノールアミン、ジエタノールアミン、トリエタノールアミンなどに代表される水溶性のアミン化合物は、前記ノニオン系界面活性剤との親和性がよく、長期保存安定性に優れた筆記具洗浄液になることから好ましく、より考慮すれば、アルカノールアミンが好ましく、その中でも、弱塩基性であるトリエタノールアミンがより好ましい。
【００２３】
本発明の筆記具用洗浄液における、前記ｐＨ調整剤の含有量は、筆記具用洗浄液の総質量を基準として、０．０１〜５０質量％が好ましく、０．１〜１５質量％が好ましく、０．１〜５質量％が好ましく、筆記具のくし溝、ペン先、コンバーターの洗浄性と筆記具用洗浄液のｐＨの上昇の両方を考慮すると、０．５〜５質量％であることが好ましい。
ｐＨ調整剤は、含有量が少なすぎると本発明が本来の目的とする効果を十分に発揮することができない場合があり、逆に含有量が多すぎると、洗浄液のｐＨによる安全性に懸念が生じてしまう場合がある。
【００２４】
本発明の筆記具用洗浄液は、くし溝をインキ流量調節機構として配設した筆記具部材の、細い複雑な構造をしているくし溝、精密なペン先の内部、コンバーター（万年筆用インキ吸入器）などに、乾固したインキを洗浄するために、筆記具用洗浄液の２０℃環境下の表面張力は５０ｍＮ／ｍ以下が好ましく、４０ｍＮ／ｍ以下がより好ましく、３５ｍＮ／ｍ以下がより好ましい。また２０ｍＮ／ｍ以上であると、筆記具のくし溝やペン先、コンバーターに洗浄液が残った場合であっても、筆記具に新たに入れるインキへの影響が出にくいため、好ましく、２３ｍＮ／ｍ以上がより好ましい。
表面張力は、２０℃環境下において、協和界面科学株式会社製の表面張力計測器を用い、白金プレートを用いて、垂直平板法によって測定して求めることができる。
特に、ペン先・くし溝を具備した首軸、コンバーター（インキ収容体から、筆記具のインキ貯蔵体内に直接インキを吸入することができる機能をもつインキ貯蔵体（万年筆用インキ吸入器））を装着した万年筆の場合は、くし溝は、細かい複雑な構造をしているため、インキ乾固した場合では、洗浄してもインキ汚れが取れにくいため、本発明の筆記具用洗浄液を用いると効果的であり、好ましい。
【００２５】
また、本発明による筆記具用洗浄液は、浸透性に優れることで、くし溝、ペン先、コンバーターなどの筆記具部材に擦り傷がある場合や、細いくし溝、精密なペン先であっても、入り込んで洗浄性が優れるため、ブルックフィールド社製ＤＶ−ＩＩ粘度計（ＣＰＥ−４２ローター）を用いて、２０℃、剪断速度３８０ｓｅｃ−１（回転数１００ｒｐｍ）で測定した筆記具用洗浄液の粘度が、１２ｍＰａ・ｓ以下であることが好ましく、より浸透性を向上し、洗浄性を向上することを考慮して、６ｍＰａ・ｓ以下であることが好ましく、より考慮すれば、３ｍＰａ・ｓ以下であることがより好ましい。
【００２６】
本発明のＨＬＢ値が１５以下であるノニオン系界面活性剤を含んでなる筆記具用洗浄液は、２０℃環境下のｐＨが１０以下であることが好ましい、これは、筆記具用洗浄液がｐＨ１０を超えて、アルカリ性が強くなると、インキ中に含まれる染料などの着色剤の析出や、変色を抑制しやすく、洗浄時に、使用者の手や衣服などに洗浄液が付着した場合でも、安全性に優れるためである。
さらに、洗浄性、安定性を考慮すれば、筆記具用洗浄液の２０℃環境下のｐＨは、ｐＨ７〜１０が好ましく、ｐＨ８〜１０がより好ましい。
また、筆記具用洗浄液のｐＨについては、後述する高濃度の原液でのｐＨを測定しても良く、当該原液を水などで希釈した時の洗浄液のｐＨを測定してもよい。
特に、筆記具のくし溝ならびにペン先の洗浄時におけるｐＨを測定することがよい。
本発明において、ｐＨ値は、市販のｐＨメーター（たとえば、ＩＭ−４０Ｓ型ｐＨメーター／東亜ディーケーケー株式会社製）によって、２０℃環境下において測定される。
【００２７】
本発明の筆記具用洗浄液は、筆記具の洗浄に適した濃度で販売してもよく、水で希釈することにより筆記具の洗浄に適した濃度となる高濃度の原液で販売してもよく、筆記具部材を洗浄する時のｐＨが、２０℃環境下のｐＨが１０以下であることが好ましい。
高濃度の原液で販売することにより、容器が小さく収納に場所をとらないことや、輸送コストを削減できること、使用後のゴミを削減できること、などの利点がある。
本発明の筆記具用洗浄液は、高濃度の原液でも２０℃環境下のｐＨが１０以下のため、仮に使用者の手や衣服などに高濃度の原液が付着した場合でも、安全性に優れる。
【００２８】
また、本発明の筆記具用洗浄液は、フィルムやシートなどの包装体に収容して、筆記具用洗浄液包装体とすることが好ましいが、携帯性や簡便性の点で、１回の使用量をフィルムやシートの包装体に個別包装することが好ましく、さらに、水分蒸発などの長期保存性の向上を考慮すれば、金属材のフィルムで包装することが好ましく、特にアルミ化合物材のフィルムで包装することが好ましい。また、包装体に収容する洗浄液の含有量については、洗浄性と携帯性とを考慮すれば、３〜１５ｍｌを包装体に収容した筆記具用洗浄液包装体とすることが好ましく、より考慮すれば、５〜１０ｍｌを包装体に収容した筆記具用洗浄液包装体とすることが好ましい。
また、筆記具用洗浄液包装体は２個以上とする場合は、繋ぎ目又はミシン目で切り離し可能とした状態で、筆記具用洗浄液包装体を販売することが好ましく、３〜１２個の筆記具用洗浄液包装体をセットとして販売しても良い。また、筆記具用洗浄液包装体と筆記具を一緒にした、筆記具セットとして販売することが好ましい。。
また、筆記具用洗浄液包装体は、万年筆、ボールペン、マーキングペン（サインペン）、筆ペン、カリグラフィー用のペン、製図用のペンなどの筆記具と一緒に筆記具セットとして販売することが好ましく、筆記具用洗浄液を採取するスポイトなどの吸入器と一緒にした、筆記具用洗浄液セットとして販売することが好ましい。
【００２９】
前述した筆記具の洗浄方法により、くし溝やペン先に乾固したインキを取り除いた後は、一般的に洗浄液を水で洗い流す手順、すなわち「すすぎ」が行われるが、当該すすぎが不十分だと、筆記具のくし溝やペン先に洗浄液が残り、この状態のまま、筆記具のくし溝・ペン先（首軸）に新たなインキが充填されたコンバーターを装着し、ペン先からコンバーター内に新たなインキを吸入すると、筆記具のくし溝、ペン先、コンバーターに残った洗浄液が、新たなインキ中に混入する場合がある。
このとき、仮にすすぎが不十分で、筆記具のくし溝、ペン先、コンバーターに洗浄液が残った場合は、新たに吸入されるインキに混ざってしまい、悪影響を及ぼす可能性があるため、その影響が出にくいことを考慮すれば、筆記具用洗浄液の２０℃環境下のｐＨは１０以下が好ましく、表面張力は２０〜５０ｍＮ／ｍが好ましい。より好ましくは、筆記具用洗浄液の２０℃環境下で、ｐＨ７〜１０が好ましく、表面張力は２３〜４０ｍＮ／ｍが好ましい。
【００３０】
特に、着色剤として顔料を用いたインキ組成物（顔料インキ）を使用した筆記具を洗浄する場合、前記ノニオン系界面活性剤は顔料インキ中に含まれる顔料や顔料分散剤に対して親和性が高いため、好ましい。
顔料インキの顔料分散剤としては、酸性樹脂、塩基性樹脂、ノニオン性界面活性剤、アニオン性界面活性剤などがあるが、前記ＨＬＢ値が１５以下であるノニオン系界面活性剤は、特にアクリル樹脂、スチレン−アクリル樹脂、スチレン−マレイン酸樹脂、フェノール樹脂などの酸性樹脂を用いたインキを使用した筆記具に対して洗浄効果が得られやすく、さらに、アクリル樹脂、スチレン−アクリル樹脂を用いたインキを使用した筆記具に対して、より洗浄効果が得られやすいため、好ましい。
そのため、前記ノニオン系界面活性剤を用いた本発明の筆記具洗浄液は、顔料インキを使用した筆記具の洗浄液に好ましく用いられる。
【００３１】
顔料を用いたインキ組成物（顔料インキ）とした場合は、くし溝、ペン先、コンバーターにインキが乾固すると、一般的に洗浄しても汚れが取れにくいため、本発明の筆記具用洗浄剤を用いると効果的である。インキ組成物（顔料インキ）に用いられる顔料としては、無機、有機、加工顔料などが挙げられるが、その中でも、有機顔料は、洗浄しても汚れが取れにくいため、本発明の洗浄剤を用いると効果的であり、さらに、考慮すれば、フタロシアニン系の有機顔料であり、最も効果的なのは、フタロシアニングリーン、フタロシアニンブルーを用いたインキ組成物では、効果的であり、好ましい。フタロシアニングリーンとしては、例えばＰｉｇｍｅｎｔ  Ｇｒｅｅｎ７、３６、５８が挙げられ、フタロシアニンブルーとしては、例えばＰｉｇｍｅｎｔ  Ｂｌｕｅ  １６、１５、１５：１、１５：２、１５：３、１５：４、１５：６、７５、７９などが挙げられ、特に、Ｐｉｇｍｅｎｔ  Ｂｌｕｅ  １５、１５：１、１５：２、１５：３、１５：４、１５：６を用いた場合は、効果的である。
【００３２】
＜水＞
本発明の筆記具用洗浄液は、水を含有する。
水としては、特に制限はなく、たとえば、イオン交換水、限外ろ過水、蒸留水、などを用いることができる。
【００３３】
また、本発明の筆記具用洗浄液は、洗浄液としての物性や機能を向上させる目的で、防腐剤、防錆剤、キレート剤などの各種添加剤を含んでなることが好ましい。
【００３４】
防腐剤（防菌剤）としては、フェノール、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン、２−ピリジンチオール−１−オキシドナトリウム、１，２−ベンズイソチアゾリン−３−オン、２−メチル−４−イソチアゾリン−３−オン、２−ｎ−オクチル−４−イソチアゾリン−３−オンなどが挙げられる。これらの防腐剤は、１種または２種以上の混合物として使用してもよい。
これらの防腐剤（防菌剤）の中でも、防腐剤（防菌剤）効果を考慮すれば、イソチアゾリン系化合物を用いることが好ましく、より考慮すれば、１，２−ベンズイソチアゾリン−３−オン、２−メチル−４−イソチアゾリン−３−オン、２−ｎ−オクチル−４−イソチアゾリン−３−オンの中から選択することが好ましい。さらに、本発明のように、前記ノニオン系界面活性剤などの他成分との相性によって、洗浄液の安定性（経時変化、加温経時変化、色の変化）の影響を考慮すれば、１，２−ベンズイソチアゾリン−３−オンを用いることが好ましい。
【００３５】
防錆剤としては、ベンゾトリアゾール、トリルトリアゾール、ジシクロヘキシルアンモニウムナイトライト、ジイソプロピルアンモニウムナイトライト、チオ硫酸ナトリウム、サポニン、またはジアルキルチオ尿素などが挙げられる。本発明に用いる、防錆効果や、前記ノニオン性界面活性剤の相溶性などを考慮すると、前記防錆剤の中でも、ベンゾトリアゾールを用いることが好ましく、これらの防錆剤は、１種または２種以上の混合物として使用してもよい。
【００３６】
また、本発明による筆記具用洗浄液は、筆記具に含まれるインキ組成物の着色剤のイオン物質や、筆記具部材に付着した洗浄液を水で洗い流す、すなわち「すすぎ」が行わった後に、水に含まれるイオン物質による析出物を抑制するために、キレート剤を含んでなることが好ましい。
【００３７】
キレート剤としては、アミノカルボン酸などのエチレンジアミン四酢酸（ＥＤＴＡ）、ヒドロキシエチレンジアミン三酢酸（ＨＥＤＴＡ）、グリコールエーテルジアミン四酢酸（ＧＥＤＴＡ）、ニトリロ三酢酸（ＮＴＡ）、ヒドロキシエチルイミノ二酢酸（ＨＩＤＡ）、ジヒドロキシエチルグリシン（ＤＨＥＧ）、ジエチレントリアミン五酢酸（ＤＴＰＡ）、トリエチレンテトラミン六酢酸（ＴＴＨＡ）及びそれらのアルカリ金属塩、アンモニウム塩またはアミン塩などが挙げられる。
筆記具用洗浄液に、キレート剤の配合前後の物性に大きく影響を及ぼしにくい傾向にあること、また、本発明に用いるノニオン性界面活性剤の相溶性などを考慮すると、前記キレート剤の中でも、アミノカルボン酸またはその塩を用いることが好ましく、中でも、エチレンジアミン四酢酸（ＥＤＴＡ）またはその塩を用いることが好ましい。
【００３８】
本発明の筆記具洗浄液におけるキレート剤の含有量は、インキ組成物の総質量を基準として、０．０１〜１質量％が好ましい。これは、１質量％以下であれば、前記洗浄液の性能や物性に影響しにくく、０．０１質量％以上であれば、析出物の発生を抑制しにくいためであり、より好ましくは０．０１〜０．５質量％である。
【００３９】
また、本発明の筆記具用洗浄液は、水溶性有機溶剤を含んでいてもよい。
水溶性有機溶剤としては、（ｉ）エチレングリコール、ポリエチレングリコール、またはグリセリンなどのグリコール類、（ｉｉ）メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコールなどのアルコール類、および（ｉｉｉ）エチレングリコールモノメチルエーテル、エチレングリコールモノエチルエーテル、３−メトキシブタノール、または３−メトキシ−３−メチルブタノールなどのグリコールエーテル類などが挙げられる 。
これらの水溶性有機溶剤は、１種または２種以上の混合物として使用してもよい。
【実施例】
【００４０】
＜実施例１＞
ノニオン系界面活性剤                                          １．０質量％
（第一工業製薬株式会社製、商品名：ノイゲンＸＬ−７０、ポリオキシアルキレン分岐デシルエーテル、ＨＬＢ値１３．２）
トリエタノールアミン                                          ３．０質量％
防腐剤                                                        ０．２質量％
（１，２−ベンズイソチアゾリン−３−オン）
防錆剤                                                        ０．１質量％
（ベンゾトリアゾール）
キレート剤                                                    ０．１質量％
（アミノカルボン酸）
イオン交換水                                                ９５．７質量％
イオン交換水にノニオン系界面活性剤、トリエタノールアミン、防腐剤、防錆剤、キレート剤を添加し、プロペラ攪拌により混合して、筆記具用洗浄液を得た。
また、得られた筆記具用洗浄液のｐＨ値を、ＩＭ−４０Ｓ型ｐＨメーター（２０℃環境下、東亜ディーケーケー株式会社製）により測定したところ、ｐＨ値は９．２であった。
なお、得られた筆記具用洗浄液の表面張力を、表面張力計測器（２０℃環境下、白金プレート、垂直平板法、協和界面科学株式会社製）により測定したところ、表面張力は２７．２ｍＮ／ｍであった。
また、得られた筆記具用洗浄液の筆記具用洗浄液の粘度を、ブルックフィールド社製ＤＶ−ＩＩ粘度計（ＣＰＥ−４２ローター）、２０℃、剪断速度３８０ｓｅｃ−１（回転数１００ｒｐｍ）で測定したところ、筆記具用洗浄液の粘度は、１．１ｍＰａ・ｓであった。
【００４１】
＜実施例２〜２９、比較例１〜５＞
実施例２〜２９、および比較例１〜５は、筆記具用洗浄液に含まれる成分の種類や配合量を表において表される組成に変更した以外は、実施例１と同じ方法で筆記具用洗浄液を得た。
【００４２】
実施例１〜２９、比較例１〜５で得られた筆記具用洗浄液について、下記のような評価を行い、結果を表に示した。
株式会社パイロットコーポレーション製万年筆（商品名：カスタムＮＳ）に、ペン先・くし溝（首軸）と、実施例１の筆記具用水性顔料インキ組成物を０．５ｍｌ充填した押圧部材を用いてインキ吸入するプッシュ式のコンバーター（インキ収容体から、筆記具のインキ貯蔵体内に直接インキを吸入することができる機能をもつインキ貯蔵体（万年筆用インキ吸入器））とを装着し、試験用の万年筆とした。その後、万年筆を使用し、インキがなくなるまで筆記使用した。
その後、インキ瓶から、インキをプッシュ式のコンバーターで吸引し、インキを補充した。これを、１０回繰り返し使用したところ、同じ筆記具部材を繰り返し使い続けたため、ペン先、コンバーターに装着傷や摺動傷などの擦り傷ができていた。
このような、インキで汚れた擦り傷があるペン先・くし溝（首軸）、コンバーターに、水を吸入し洗浄した。
その後、ペン先・くし溝（首軸）、コンバーターに、筆記具用洗浄液を吸入し洗浄した。
このペン先・くし溝（首軸）からコンバーターを取り外し、ペン先・くし溝（首軸）、コンバーターを２０℃環境下において１００ｍｌの筆記具用洗浄液に浸漬した状態で２４時間放置した。
次に、ペン先、くし溝、コンバーターをイオン交換水で洗浄し、インキ付着しているかを目視で評価した。
さらに、０．５ｍｌの筆記具用水性顔料インキ組成物を充填したコンバーターを装着し、再筆記性能を評価した。
また、得られた筆記具用洗浄液の筆記具用洗浄液の粘度を、ブルックフィールド社製ＤＶ−ＩＩ粘度計（ＣＰＥ−４２ローター）、２０℃、剪断速度３８０ｓｅｃ−１（回転数１００ｒｐｍ）で測定したところ、実施例６、実施例１７、実施例１８の筆記具用洗浄液の粘度は、それぞれ、１．３ｍＰａ・ｓ、５．５ｍＰａ・ｓ、１０．７ｍＰａ・ｓであった。
【００４３】
＜筆記具用水性顔料インキ組成物＞
・顔料分散体（アクリル樹脂分散）                              １８．０質量％
（富士色素株式会社製、Ｐｉｇｍｅｎｔ  Ｂｌｕｅ１５：３含有、１７質量％水分散体）
・保湿剤                                                        ２．０質量％
（グリセリン）
・ｐＨ調整剤                                                    ０．５質量％
（トリエタノールアミン）
・防腐剤                                                        ０．２質量％
（ロンザジャパン株式会社製、商品名：プロキセルＸＬ−２）
・イオン交換水                                                ７９．３質量％
イオン交換水、保湿剤、ｐＨ調整剤、防腐剤を添加し、プロペラ撹拌により混合してベース液を得た。その後、当該ベース液に顔料分散体を添加し、プロペラ撹拌により混合して、筆記具用水性顔料インキ組成物を得た。
【００４４】
【表１】
2020189962.tif 000002
【表２】
2020189962.tif 000003
【表３】
2020189962.tif 000004
【００４５】
＜コンバーター（擦り傷あり）の洗浄性＞
◎：コンバーターにインキ汚れが、ほとんど見られなかった。
○：コンバーターにインキ汚れが、少し見られた。
△：コンバーターにインキ汚れが、見られたが実用上問題ないレベルであった。
×：コンバーターにインキ汚れが、多く残っていた。
【００４６】
＜ペン先（擦り傷あり）の洗浄性＞
◎：ペン先にインキ汚れが、ほとんど見られなかった。
○：ペン先にインキ汚れが、少し見られた。
△：ペン先にインキ汚れが、見られたが実用上問題ないレベルであった。
×：ペン先にインキ汚れが、多く残っていた。
【００４７】
＜くし溝の洗浄性＞
◎：くし溝にインキ汚れが、ほとんど見られなかった。
○：くし溝にインキ汚れが、少し見られた。
△：くし溝にインキ汚れが、見られたが実用上問題ないレベルであった。
×：くし溝にインキ汚れが、多く残っていた。
【００４８】
＜再筆記性能＞
◎：良好な筆跡であった。
〇：実用上問題ない筆跡であった。
×：筆跡にカスレなどがあり、問題になるレベルであった。
【００４９】
＜洗浄液の安定性試験＞
実施例１〜２９、比較例１〜５で得られた筆記具用洗浄液１００ｍｌをガラス管に採取し、５０℃、２週間放置後、洗浄液を目視にて観察した。
◎◎：洗浄液の安定性が良好であった。
◎：洗浄液の安定性に若干の影響が見られたが、実用上問題ないレベルであった。
〇：洗浄液の安定性に影響が見られたが、実用上問題ないレベルであった。
【００５０】
表により、実施例１〜２９の筆記具用洗浄液は、比較例１〜５の筆記具用洗浄液と比較して、コンバーター、ペン先、くし溝の内部で顔料インキが乾固した場合でも洗浄効果が高く、擦り傷があったとしても、コンバーター、ペン先の洗浄にも優れた効果を発揮すると共に、再筆記性にも影響がないことがわかった。
また、実施例２〜４は、前記ノニオン系界面活性の含有量が１％未満と少ないため、洗浄液中での安定性がやや劣っていた影響もあり、洗浄液を目視したところ、やや白濁しており、実施例１の方が洗浄力は高かった。実施例１４は、前記ノニオン系界面活性のＨＬＢ値が１０未満であったため、洗浄液中での溶解性がやや劣っていた影響もあり、洗浄液を目視したところ、白濁しており、実施例１の方が洗浄力は高かった。
【００５１】
一方、比較例１〜５の筆記具用洗浄液は、ＨＬＢ値が１５以下であるノニオン系界面活性剤を用いなかったため、コンバーター（擦り傷あり）を洗浄しても、インキ汚れが残ってしまった。また、比較例１、２、４は、くし溝についても、インキ汚れが残ってしまった。
以上の結果から明らかなように、本発明の筆記具用洗浄液は、洗浄液として優れていることが明らかとなった。
【００５２】
なお、実施例では、万年筆のペン先、くし溝、コンバーターを筆記具部材として、洗浄剤を用いて洗浄したが、それ以外の筆記具部材を用いても良く、例えば、ボールペンのプラスチック製チップ、金属製チップなどのペン先、ボールペンチップ保持材（チップホルダー）、インキ収容筒（インキカートリッジ）、筆記具の軸筒、筆記具キャップなどの筆記具部材を洗浄しても良い。
また、コンバーターについては、押圧部材を用いてインキ吸入するプッシュ式のコンバーター、摺動部材を用いてインキ吸入するスライド式コンバーター、回転体を用いてインキ吸入する回転式コンバーターなどがあり、特に限定されるものではない。
【産業上の利用可能性】
【００５３】
本発明の筆記具用洗浄液は、万年筆、ボールペン、マーキングペン（サインペン）、筆ペン、カリグラフィー用のペン、製図用のペンなどの、くし溝をインキ流量調節機構として配設した筆記具の洗浄液として好適に用いることができる。